(57)【要約】【課題】  レンズ群をガイド軸に沿って摺動させ直進移動を行うように構成されたレンズ鏡胴に関し、撮影レンズを構成するレンズ群のうち、所望の特定のレンズ群同士で正確に軸合わせを行い、更には特定のレンズ群同士での調芯を可能としたレンズ鏡胴を得る。【解決手段】  ガイド軸の中間部でガイド軸を位置決めする位置決め部材を有し、ガイド軸は、一方の端部と位置決め部材とで支持され、ガイド軸を摺動するレンズ群のうち、少なくとも１つのレンズ群は、位置決め部材より像面側で摺動し、他の少なくとも１つのレンズ群は、位置決め部材より物体側で摺動するよう構成したレンズ鏡胴とする。【選択図】        図４
2006133366.tif 000002
【特許請求の範囲】
【請求項１】
被写体光を導くための複数のレンズ群と、前記複数のレンズ群のうち、少なくとも２つのレンズ群を光軸方向に摺動可能となしたガイド軸と、を有するレンズ鏡胴において、
前記ガイド軸の中間部で前記ガイド軸を位置決めする位置決め部材を有し、
前記ガイド軸は、一方の端部と前記位置決め部材とで支持され、
前記ガイド軸を摺動するレンズ群のうち、少なくとも１つのレンズ群は、前記位置決め部材より像面側で摺動し、他の少なくとも１つのレンズ群は、前記位置決め部材より物体側で摺動するよう構成したことを特徴とするレンズ鏡胴。
【請求項２】
前記ガイド軸を支持する一方の端部は、像面側に位置する端部であることを特徴とする請求項１に記載のレンズ鏡胴。
【請求項３】
前記位置決め部材は固定レンズ群を保持し、前記固定レンズ群は、ガイド軸を支持する一方の端部と前記位置決め部材の間に位置するレンズ群に対し調芯された後、固定されていることを特徴とする請求項１又は２に記載のレンズ鏡胴。
【請求項４】
少なくとも前記位置決め部材より物体側で摺動するレンズ群を内包する第１の鏡胴部材と、少なくとも前記位置決め部材より像面側で摺動するレンズ群を内包する第２の鏡胴部材に分割して構成されていることを特徴とする請求項１〜３のいずれか１項に記載のレンズ鏡胴。
【請求項５】
前記ガイド軸を摺動するレンズ群より物体側に、前記被写体光を略直角方向に折り曲げる反射部材を有し、前記ガイド軸の他方の端部は前記反射部材の側面側に延伸して形成されていることを特徴とする請求項１〜４のいずれか１項に記載のレンズ鏡胴。
【請求項６】
請求項１〜５のいずれか１項に記載のレンズ鏡胴を備えたことを特徴とするカメラ。
【請求項７】
被写体光を導くための複数のレンズ群と、前記複数のレンズ群のうち、所望のレンズ群を光軸に略平行なガイド軸に沿って摺動させ直進移動を行うように構成したレンズ鏡胴の組立方法において、
前記ガイド軸の一方の端部を固定する工程と、
前記ガイド軸に、移動レンズ群を保持したレンズ枠を組み込む工程と、
前記ガイド軸の中間部で前記ガイド軸を位置決めする位置決め部材を、前記ガイド軸に嵌合させ固定する工程と、
前記位置決め部材にレンズ群を載置し、前記位置決め部材に載置されたレンズ群を固定する工程と、
前記ガイド軸に、他のレンズ群を組み込む工程と、を有することを特徴とするレンズ鏡胴の組立方法。
【請求項８】
前記位置決め部材にレンズ群を載置し、前記位置決め部材に載置されたレンズ群を固定する工程中において、
前記位置決め部材に載置したレンズ群を、前記移動レンズ群に対して調芯することを特徴とする請求項７に記載のレンズ鏡胴の組立方法。
【発明の詳細な説明】
【技術分野】
【０００１】
本発明は、被写体光を導くための複数のレンズ群を有し、所定のレンズ群を移動させて変倍を行う変倍光学系の鏡胴に関するものである。
【背景技術】
【０００２】
従来より、焦点距離可変の撮影レンズ（以下、ズームレンズとも称す）を搭載したカメラが市販されている。これらズームレンズは、光学系を構成する複数のレンズ群を光軸に沿って所望の位置に移動させて、その間隔を変化させることにより、焦点距離の変更を行うようになっている。
【０００３】
複数のレンズ群を光軸に沿って移動させる方式としては大別して２種有り、カム溝を形成したカム筒と、このカム溝に係合するカムピンをレンズ枠外周に形成すると共に、レンズ枠を直進案内に係合させ、カム筒を回転させることによりレンズ枠を直進移動させるものと、光軸に略平行に軸を配置しこの軸を直進案内のガイド軸とし、レンズ枠にガイド軸が貫通するスリーブを形成し、ステッピングモータとリードスクリューを用いて直接的にレンズ枠をガイド軸に沿って摺動させ直進移動させるものがある。
【０００４】
この後者の、光軸に略平行に配置されたガイド軸を用いるものは、複雑なカム形状のカム筒や複雑な鏡胴構成を必要とせず、簡単な構造とできるため、縮退を必要としないカメラの撮影光学系に多用されている。
【０００５】
この、光軸に略平行に配置されたガイド軸を用いるものを折り曲げ光学系に適用し、２つのモータにより２つのレンズ群を移動させると共に、一方のモータのリードスクリューに螺合する螺合部材の移動をファインダ側のレンズ群に伝達するよう構成したものがある（例えば、特許文献１参照）。この特許文献１には、折り曲げ光学系の鏡胴の構成が開示されている。
【特許文献１】特開２００３−２２２９４６号公報（図２〜図６）
【発明の開示】
【発明が解決しようとする課題】
【０００６】
ズームレンズは、複数のレンズ群を有し、所定のレンズ群が光軸上を移動して焦点距離を変化するようになっており、これら複数のレンズ群それぞれの相互の光軸ズレの許容誤差は、ズームレンズを構成する個々のレンズ群により異なっているのが一般的である。
【０００７】
近年では、レンズを光軸に直交する方向に移動できるようレンズ枠を形成し、相対する他のレンズ群に対して、レンズ枠上でレンズを微調整移動させることで、レンズとレンズを保持するレンズ枠の部品精度に頼らず、より高精度に光軸合わせができる、所謂調芯が行われている。この調芯により偏芯が解消でき、撮影画像に個体差がなく安定した性能の撮影レンズを得ることができるようになってきている。
【０００８】
一方、上述の特許文献１に記載されている折り曲げ光学系の鏡胴構成は、光学系を折り曲げるための反射部材を含み物体側の固定レンズ群を内包した鏡胴部材と、この後方に配置される移動レンズ群と固定レンズ群を内包した箱状の鏡胴部材に分割されて構成されている。
【０００９】
このような鏡胴構成の場合、ガイド軸に係合するレンズ群を全て組み込んだ状態でガイド軸を箱状の鏡胴部材内に収めることになる。このため、後方に配置される移動レンズ群と固定レンズ群のうち、特定のレンズ群同士を選択して、より正確に光軸合わせを行ったり、特定のレンズ群同士の調芯を行ったりすることはできない。更に、調芯を行う場合にレンズを微調整移動させる治具を挿入するスペースが無く、箱状の鏡胴部材が障害となって、調芯を行うことができないという問題がある。
【００１０】
本発明は、上記問題に鑑み、光軸に略平行に配置されたガイド軸を用いて、レンズ群をこのガイド軸に沿って摺動させ直進移動を行うように構成されたレンズ鏡胴に関し、撮影レンズを構成するレンズ群のうち、所望の特定のレンズ群同士を正確に軸合わせを行うことができ、更には特定のレンズ群同士での調芯をも可能とし、レンズ群間の偏芯を解消して、撮影画像に個体差がなく安定した性能の撮影レンズとすることができるレンズ鏡胴を得ること、及び、このレンズ鏡胴を用いることで、個体差のない安定した性能の撮影レンズを備えたカメラを得ることを目的とするものである。
【課題を解決するための手段】
【００１１】
上記の目的は、以下の構成により達成される。
【００１２】
１）被写体光を導くための複数のレンズ群と、前記複数のレンズ群のうち、少なくとも２つのレンズ群を光軸方向に摺動可能となしたガイド軸と、を有するレンズ鏡胴において、前記ガイド軸の中間部で前記ガイド軸を位置決めする位置決め部材を有し、前記ガイド軸は、一方の端部と前記位置決め部材とで支持され、前記ガイド軸を摺動するレンズ群のうち、少なくとも１つのレンズ群は、前記位置決め部材より像面側で摺動し、他の少なくとも１つのレンズ群は、前記位置決め部材より物体側で摺動するよう構成したことを特徴とするレンズ鏡胴。
【００１３】
２）前記ガイド軸を支持する一方の端部は、像面側に位置する端部である１）のレンズ鏡胴。
【００１４】
３）前記位置決め部材は固定レンズ群を保持し、前記固定レンズ群は、ガイド軸を支持する一方の端部と前記位置決め部材の間に位置するレンズ群に対し調芯された後、固定されている１）又は２）のレンズ鏡胴。
【００１５】
４）少なくとも前記位置決め部材より物体側で摺動するレンズ群を内包する第１の鏡胴部材と、少なくとも前記位置決め部材より像面側で摺動するレンズ群を内包する第２の鏡胴部材に分割して構成されている１）〜３）のいずれかのレンズ鏡胴。
【００１６】
５）前記ガイド軸を摺動するレンズ群より物体側に、前記被写体光を略直角方向に折り曲げる反射部材を有し、前記ガイド軸の他方の端部は前記反射部材の側面側に延伸して形成されている１）〜４）のいずれかのレンズ鏡胴。
【００１７】
６）１）〜５）のいずれかのレンズ鏡胴を備えたカメラ。
【００１８】
７）被写体光を導くための複数のレンズ群と、前記複数のレンズ群のうち、所望のレンズ群を光軸に略平行なガイド軸に沿って摺動させ直進移動を行うように構成したレンズ鏡胴の組立方法において、前記ガイド軸の一方の端部を固定する工程と、前記ガイド軸に、移動レンズ群を保持したレンズ枠を組み込む工程と、前記ガイド軸の中間部で前記ガイド軸を位置決めする位置決め部材を、前記ガイド軸に嵌合させ固定する工程と、前記位置決め部材にレンズ群を載置し、前記位置決め部材に載置されたレンズ群を固定する工程と、前記ガイド軸に、他のレンズ群を組み込む工程と、を有することを特徴とするレンズ鏡胴の組立方法。
【００１９】
８）前記位置決め部材にレンズ群を載置し、前記位置決め部材に載置されたレンズ群を固定する工程中において、前記位置決め部材に載置したレンズ群を、前記移動レンズ群に対して調芯する７）のレンズ鏡胴の組立方法。
【発明の効果】
【００２０】
本発明の、複数のレンズ群と、少なくとも２つのレンズ群を光軸方向に摺動可能となしたガイド軸と、を有するレンズ鏡胴において、ガイド軸の一方の端部とガイド軸の中間部でガイド軸を位置決めする位置決め部材とでガイド軸を支持することにより、位置決め部材とガイド軸の支持された端部との間で摺動移動するレンズ群を、他のレンズ群を組み込む前に光軸直交方向の位置決めができ、このガイド軸で位置決めされたレンズ群に対し、隣り合うレンズ群の位置決めを行うことにより、特定のレンズ群同士での正確な光軸合わせが可能となり、撮影画像に個体差のない安定した性能の撮影レンズとすることができるレンズ鏡胴を得ることが可能となる。
【００２１】
また、ガイド軸を支持する一方の端部を、像面側に位置する端部とすることが好ましく、これにより変倍光学系の像面側に配置される偏芯感度の高いレンズ群の正確な位置決めができるようになる。
【００２２】
また、位置決め部材は固定レンズ群を保持し、固定レンズ群は、ガイド軸を支持する一方の端部と前記位置決め部材の間に位置するレンズ群に対し、調芯して固定することが好ましく、これにより特定のレンズ群同士での、非常に正確な光軸合わせが可能となり、撮影画像に個体差のない、より安定した性能の撮影レンズとすることができるレンズ鏡胴を得ることができる。
【００２３】
また、この鏡胴を、位置決め部材より物体側で摺動するレンズ群を内包する第１の鏡胴部材と、少なくとも位置決め部材より像面側で摺動するレンズ群を内包する第２の鏡胴部材に分割して構成することが好ましく、これにより鏡胴と調芯のための治具との干渉のないレンズ鏡胴が得られる。
【００２４】
また、ガイド軸を摺動するレンズ群より物体側に、被写体光を略直角方向に折り曲げる反射部材を有している場合、ガイド軸の他方の端部は反射部材の側面側に延伸して形成されていることが好ましく、これによりレンズ鏡胴の全長をそのままに、ガイド軸との充分な長さの嵌合量の確保ができ、レンズ群を保持した鏡枠をより円滑に移動させることが可能となる。
【００２５】
更に、本発明の、複数のレンズ群と、少なくとも２つのレンズ群を光軸方向に摺動可能となしたガイド軸と、を有するレンズ鏡胴の組み立て方法において、ガイド軸の一方の端部を固定する工程と、ガイド軸に、移動レンズ群を保持したレンズ枠を組み込む工程と、ガイド軸の中間部でガイド軸を位置決めする位置決め部材を、ガイド軸に嵌合させ固定する工程と、位置決め部材にレンズ群を載置し、位置決め部材に載置されたレンズ群を固定する工程と、ガイド軸に、他のレンズ群を組み込む工程と、を有することにより、位置決め部材とガイド軸の支持された端部との間で摺動移動するレンズ群を、他のレンズ群を組み込む前に光軸直交方向の位置決めができ、このガイド軸で位置決めされたレンズ群に対し、隣り合うレンズ群の位置決めを行うことにより、特定のレンズ群同士での正確な光軸合わせが可能となり、撮影画像に個体差のない安定した性能の撮影レンズとすることができるレンズ鏡胴の組み立て方法を得ることが可能となる。
【００２６】
加えて、位置決め部材にレンズ群を載置し、位置決め部材に載置されたレンズ群を固定する工程中において、位置決め部材に載置したレンズ群を、移動レンズ群に対して調芯することが好ましく、これにより特定のレンズ群同士での、より正確な光軸合わせが可能となり、撮影画像に個体差のない安定した性能の撮影レンズとすることができるレンズ鏡胴の組み立て方法を得ることができる。
【発明を実施するための最良の形態】
【００２７】
以下、実施の形態により本発明を詳しく説明するが、本発明はこれに限定されるものではない。
【００２８】
図１は、本発明に係るレンズ鏡胴を備えたカメラ１００の、主要構成ユニットの内部配置の一例を示す図である。同図は、カメラ１００を被写体側から見た斜視図である。
【００２９】
同図に示すように、カメラ１００は、変倍可能な折り曲げ撮像光学系を内包した本発明に係るレンズ鏡胴５０が図示の如く前面に沿って配置され、開口部５１が被写体光束を取り込むよう配置されている。また図示していないが、開口部５１を開閉するレンズバリアが配置されている。
【００３０】
５２はフラッシュ発光窓であり、５３はフラッシュ発光窓の後方に配置された反射傘、キセノン管、その他メインコンデンサ、回路基板等で構成されるフラッシュユニットである。５４はカード型の画像記録用メモリである。５５は電池であり、カメラ１００の各部へ電源を供給する。画像記録用メモリ５４及び電池５５は、図示しない蓋部から挿脱が可能となっている。
【００３１】
カメラ１００の上面には、レリーズ釦５６が配置され、その１段の押し込みにより撮影準備動作、即ち焦点合わせ動作や測光動作が行われ、その２段の押し込みにより撮影露光動作が行われる。５７はメインスイッチであり、カメラ１００を動作状態と非動作状態に切り替えるスイッチである。メインスイッチ５７により動作状態に切り替えられると、レンズバリアを備えている場合には、これを開状態にすると共に、各部の動作が開始される。また、メインスイッチ５７により非動作状態に切り替えられると、レンズバリアを閉状態にすると共に、各部の動作を終了させる。
【００３２】
カメラ１００の背面には、ＬＣＤ或いは有機ＥＬ等の表示素子で構成され、画像やその他文字情報等を表示する画像表示部５８が配置されている。また、図示していないが、ズームアップ、ズームダウンをおこなうズーム釦、撮影した画像を再生する再生釦、画像表示部５８上に各種のメニューを表示させるメニュー釦、表示から所望の機能を選択する選択釦等の操作部材が配置されている。
【００３３】
また、図示しないが、これら主要構成ユニットの間には、各部を接続すると共に、各種電子部品が搭載された回路基板が配置され、各主要構成ユニットの駆動及び制御を行うようになっている。
【００３４】
更に、図示していないが、外部入出力端子、ストラップ取り付け部、三脚座等を備えているものである。
【００３５】
図２は、本発明に係るレンズ鏡胴５０のユニット状態の概略の斜視図である。
【００３６】
同図に示すように、レンズ鏡胴５０は、第１の鏡胴である第１主胴１０Ａと第２の鏡胴である第２主胴１０Ｂの２つの鏡胴で構成されている。第１主胴１０Ａには、内部に配置されたレンズ群を移動させる第１モータ２０が組み付けられ、第２主胴１０Ｂには、内部に配置された他のレンズ群を移動させる第２モータ２１が組み付けられている。６は撮像素子であり、第２主胴１０Ｂに組み付けられている。１１は最も物体側に配置されたレンズであり光軸をＯＡを被写体に向けて配置されている。
【００３７】
第１モータ２０、第２モータ２１、撮像素子６は、図示しないプリント基板に接続され、個々に制御及び駆動されるようになっている。
【００３８】
図３は、本発明に係るレンズ鏡胴５０に内包された変倍可能な折り曲げ撮像光学系を示す断面図である。同図は、ワイド時の状態を示しており、折り曲げ前及び折り曲げ後の２つの光軸を含む面で切断したものである。
【００３９】
同図に示すように、ＯＡは折り曲げ前の光軸であり、ＯＢは折り曲げ後の光軸である。レンズ鏡胴５０の外側は、第１の鏡胴部材である第１主胴１０Ａ及び第２の鏡胴部材である第２主胴１０Ｂで構成されている。
【００４０】
１は第１レンズ群であり、第１レンズ群１は、光軸をＯＡとし被写体に向けて配置されたレンズ１１と光軸ＯＡを略直角方向に折り曲げる反射部材であるプリズム１２と、プリズム１２により折り曲げられた光軸ＯＢを光軸として配置されたレンズ１３により構成されている。この第１レンズ群１は、第１主胴１０Ａに固定されたレンズ群である。
【００４１】
２は第２レンズ群であり、第２レンズ群鏡枠２ｋに組み込まれている。第２レンズ群は、変倍（以下、ズーミングとも言う）時に第２レンズ群鏡枠２ｋと共に、一体的に移動するレンズ群である。
【００４２】
３は第３レンズ群であり、位置決め部材３ｋに組み込まれている。なおこの位置決め部材３ｋについては、後述の図４〜図５で詳細に説明する。この第３レンズ群３は、第２主胴１０Ｂに組み込まれ、移動しないレンズ群である。
【００４３】
４は第４レンズ群であり、第４レンズ群鏡枠４ｋに組み込まれている。第４レンズ群は、変倍時及び焦点調節（以下、フォーカシングとも言う）時に第４レンズ群鏡枠４ｋと共に、一体的に移動するレンズ群である。
【００４４】
５は赤外光カットフィルタ及びオプチカルローパスフィルタを積層した光学フィルタであり、第２主胴１０Ｂに組み付けられている。６は撮像素子であり、ＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が用いられる。撮像素子６は取り付け部材８に組み付けられ、取り付け部材８は撮像素子６と共に第２主胴１０Ｂに組み付けられている。７はフレキシブルプリント基板であり、撮像素子６に接続され、カメラ内の他の回路へ接続される。９はシャッタユニットであり、位置決め部材３ｋと同様に、第２主胴１０Ｂに固定されている。
【００４５】
図４は、第２レンズ群２及び第４レンズ群４の移動機構及び内部の概略構造を示す模式図である。同図は、第２レンズ群２及び第４レンズ群４がワイド位置にある状態を示している。以下の図においては、説明の重複を避けるため、同機能部材には同符号を付与して説明する。なお、説明をわかりやすくするため、モータ等の位置を鏡胴外に移動させて模式図面化したものである。
【００４６】
同図に示すように、第２レンズ群鏡枠２ｋに一体的に形成されたスリーブ２ｓ、第４レンズ群鏡枠４ｋに一体的に形成されたスリーブ４ｓを貫通して、ガイド軸１５が設けられている。更に、第２レンズ群鏡枠２ｋに一体的に形成された回転係止部２ｍ、第４レンズ群鏡枠４ｋに一体的に形成された回転係止部４ｍに、ガイド軸１６が係合して設けられている。これにより、第２レンズ群鏡枠２ｋ、第４レンズ群鏡枠４ｋは、ガイド軸１５、１６に沿って光軸ＯＢ方向に摺動可能とされている。
【００４７】
なお、ガイド軸１５及びスリーブ２ｓは、同図に示すようにプリズム１２の側方まで延伸して形成されている。このようにすることで、レンズ鏡胴の全長をそのままに、スリーブ２ｓは、より充分な長さの嵌合量の確保ができ、第２レンズ群鏡枠２ｋ即ち第２レンズ群２をより円滑に移動させることが可能となる。
【００４８】
第２レンズ群鏡枠２ｋはスリーブ２ｓに形成された二股の突起部２ｔを有しており、この突起部２ｔは、ステッピングモータである第１モータ２０の回転軸に形成されたリードスクリュー２０ｒの回転により移動する駆動部材２０ｋと係合している。これにより、第１モータ２０の回転で、駆動部材２０ｋと係合している第２レンズ群鏡枠２ｋが、ガイド軸１５及び１６に沿って摺動し光軸ＯＢ方向に移動するようになっている。なお、２０ｇは駆動部材２０ｋの摺動ガイド軸である。
【００４９】
同様に、第４レンズ群鏡枠４ｋはスリーブ４ｓに形成された二股の突起部４ｔを有しており、この突起部４ｔはステッピングモータである第２モータ２１の回転軸に形成されたリードスクリュー２１ｒの回転により移動する駆動部材２１ｋと係合している。これにより、第２モータ２１の回転で、駆動部材２１ｋと係合している第４レンズ群鏡枠４ｋが、ガイド軸１５及び１６に沿って摺動し、光軸ＯＢ方向に移動するようになっている。なお、２１ｇは駆動部材２１ｋの摺動ガイド軸である。
【００５０】
これにより、第２レンズ群２及び第４レンズ群４は、図示のワイド状態の位置から、第３レンズ群３に近接する方向へ、各々設定された量だけ移動しズーミングが行われる。更に、第４レンズ群４は、ズーミングにより移動した位置から更に移動することによりフォーカシングが行われるようになっている。
【００５１】
ガイド軸１５及び１６は、以下のようにして位置決めされている。
【００５２】
ガイド軸１５及び１６は、図示のように、第２主胴１０Ｂに一方の端部を位置決めされて固定される。この固定は、第２主胴１０Ｂに形成された穴へ圧入、又は嵌合して挿入された後、接着により行われる。更に、ガイド軸１５及び１６の他方の位置決めは、ガイド軸１５及び１６の中間部に位置する、第２主胴１０Ｂに組み付けられた位置決め部材３ｋにより行われる。
【００５３】
位置決め部材３ｋには、ガイド軸１５及び１６が貫通して嵌合する２つの嵌合穴、第２主胴１０Ｂと相互に位置決めされる位置決め部、及び第３レンズ群３が組み込まれるレンズ保持部が形成されており、第２主胴１０Ｂに形成された位置決め部と相互に係合して位置決め部材３ｋが位置決めされて固定される。これにより、２つの嵌合穴を貫通するガイド軸１５及び１６が位置決めされることになる。更に、図示のように、ガイド軸１５及び１６の他方の端部は、第１主胴１０Ａと接触しないように構成されている。
【００５４】
即ち、ガイド軸１５及び１６は、像面側に位置する一方の端部と、ガイド軸１５及び１６の中間部で位置決めする位置決め部材３ｋによって位置決めされると共に支持されており、第２レンズ群２は位置決め部材より物体側で摺動し、第４レンズ群４は、位置決め部材３ｋより像面側、即ち、第２主胴１０Ｂにより支持されたガイド軸の端部と位置決め部材３ｋの間で摺動するよう構成されている。
【００５５】
なお、図示していないが、第２レンズ群２の存在を検出する位置センサ、第４レンズ群４の存在を検出する位置センサが配置されている。位置センサとしては、例えばフォトインタラプタが用いられる。この位置センサは、第２レンズ群鏡枠２ｋ及び第４レンズ群鏡枠４ｋにそれぞれ形成された遮蔽部が、それぞれの位置センサの投受光系間にあって遮蔽しているか、位置センサの投受光系を遮蔽しない位置にあるかを判断するものであり、遮蔽状態から遮蔽しない状態への切り替わり位置を基準にして、第１モータ２０及び第２モータ２１の回転方向及び回転量を制御し、レンズ群の位置制御が行われるようになっている。
【００５６】
以下に、本発明のレンズ鏡胴の組み立て方法及び構造について、より詳しく説明する。
【００５７】
図５は、第２主胴１０Ｂに、位置決め部材３ｋ及び第３レンズ群３を組み込む工程を示した図である。以下、組み立て順序に従い説明する。
【００５８】
同図に示す第２主胴１０Ｂは、ガイド軸１５及び１６の像面側に位置する一方の端部が第２主胴１０Ｂに形成された穴へ圧入もしくは嵌合接着されて固定される工程、次いで、ガイド軸１５及び１６に、移動レンズ群である第４レンズ群４を保持する第４レンズ群鏡枠４ｋを組み込む工程、更に、第２モータ２１の駆動部材２１ｋと第４レンズ群鏡枠４ｋに形成された突起部４ｔとが係合するように、第２モータ２１を組み込む工程が行われた後の状態を示している（図４参照）。
【００５９】
この第２主胴１０Ｂに対し、ガイド軸１５及び１６の中間部で軸の方向を位置決めする位置決め部材３ｋを嵌合させ固定する工程により、位置決め部材３ｋが組み込まれる。位置決め部材３ｋの第２主胴１０Ｂに対する位置決めは、位置決め部材３ｋに形成された穴３ｈ及びＵ字部３ｕと、第２主胴１０Ｂに形成されたピン１０ｐ及び突起部１０ｔがそれぞれ係合して行われる。
【００６０】
即ち、同図の一点鎖線で示すように、位置決め部材３ｋに形成された２つの嵌合穴に、ガイド軸１５及び１６を貫通させ嵌合しつつ、穴３ｈとピン１０ｐ、Ｕ字部３ｕと突起部１０ｔがそれぞれ係合するよう組み込まれ、ネジ２５により第２主胴１０Ｂに固定される。これにより、第２主胴１０Ｂに対し位置決め部材３ｋが位置決めされ、この位置決め部材３ｋの２つの嵌合穴によりガイド軸１５及び１６の軸の方向が決められる。これにより、第４レンズ群鏡枠４ｋ、即ち第４レンズ群４の摺動して移動する方向が決められることになる。
【００６１】
なお、位置決め部材３ｋの第２主胴１０Ｂに対する位置決めを治具を用いて行ってもよい、この場合には、より位置決め精度を向上させることができ、ガイド軸１５及び１６の軸の方向を、より正確に決めることができる。
【００６２】
この後、位置決め部材３ｋに形成されたレンズ保持部３ｓに第３レンズ群３を載置し、前行程で摺動移動する方向の決められた第４レンズ群４に対し、第３レンズ群３を光軸に直交する方向に微調整して調芯する工程が行われる。この調芯は、例えば第４レンズ群４の後方に撮像素子を配置し、第３レンズ群３の前方に所定のレンズ群とチャートを配置すると共に、第４レンズ群４を所定の位置（例えばワイド時の位置）へ移動させた状態で、第３レンズ群３を光軸直交方向に微動させ、撮像素子から出力される画像を評価して周辺画像が均等になる位置を求めることで行われる。また、レンズ保持部３ｓは、第３レンズ群３が光軸直交方向に微動が可能なように、径方向で０．２ｍｍ〜０．４ｍｍ程度の余裕を有していることが好ましい。
【００６３】
この調芯の後、第３レンズ群３が位置決め部材３ｋに形成されたレンズ保持部３ｓに接着固定される。なお、レンズ保持部３ｓに、予め接着剤を塗布しておき、この後、接着剤が固化する前に、第３レンズ群３を載置して調芯を行い、そのまま接着剤の固化により固定するようにしてもよい。
【００６４】
このように、ガイド軸の中間部でガイド軸を位置決めする位置決め部材を設け、ガイド軸を、一方の端部と位置決め部材とで支持することで、この間に位置してガイド軸を摺動移動するレンズ群の光軸直交方向の正確な位置決めを行うことができ、この位置決めされたレンズ群に対し、隣り合うレンズ群の調芯を行うことにより、特定のレンズ群同士での調芯ができるようになる。また、鏡胴部材を光軸方向に分割することで、レンズ群を微調整移動させる調芯治具を挿入するスペースの確保ができ、鏡胴との干渉も解消できるようになる。
【００６５】
なお、中間部に配置される位置決め部材の部品精度のみで、レンズ群同士の軸合わせ精度を許容誤差内とできる場合には、上述の調芯を省略することも可能である。この場合には、レンズ保持部３ｓの径方向寸法は、第３レンズ群３と嵌合若しくは圧入等で組み込まれる公差で形成される。
【００６６】
図６は、位置決め部材３ｋに第３レンズ群３を載置し、調芯後、固定された後の工程を示す図である。
【００６７】
同図に示すように、位置決め部材３ｋ及び第３レンズ群３が組み付けられた第２主胴１０Ｂに対し、シャッタユニット９がネジ２６により組み付けられる。次いで、位置決め部材３ｋより物体側で摺動する第２レンズ群２を保持する第２レンズ群鏡枠２ｋを組み込む工程となる。第２レンズ群鏡枠２ｋは、スリーブ２ｓにガイド軸１５が嵌合貫通し、回転係止部２ｍにガイド軸１６が係合して組み込まれる。
【００６８】
次いで、位置決め部材３ｋより物体側で摺動する第２レンズ群２を内包する第１主胴１０Ａが、第２主胴１０Ｂに組み付けられ、ネジ２７で固定された後、第２レンズ群鏡枠２ｋに形成された突起部２ｔと、第１モータ２０の駆動部材２０ｋ（図４参照）が係合するように、第１モータ２０が組み込まれる。第１モータ２０は、ネジ２８により固定され、本発明に係るレンズ鏡胴となる。
【００６９】
なお、上述の実施の形態においては、像面側に位置する一方の主胴と位置決め部材により、ガイド軸を端部と中間部で位置決め支持し、位置決め部材より像面側で摺動するレンズ群の位置決めを行った後、隣り合うレンズ群の調芯を行う例で説明したが、これに限るものではない。即ち、位置決め部材より物体側に位置するレンズ群と、位置決め部材に保持されるレンズ群の調芯が必要な場合には、物体側に位置する他方の主胴にガイド軸の端部を位置決めし、これに組み付けるように形成された位置決め部材によりガイド軸の中間部で位置決め支持し、この位置決め部材より物体側で摺動するレンズ群の位置決めを行った後、位置決め部材に保持されるレンズ群の調芯を行うように構成することも、本発明を逸脱するものでない。
【図面の簡単な説明】
【００７０】
【図１】本発明に係るレンズ鏡胴を備えたカメラの、主要構成ユニットの内部配置の一例を示す図である。
【図２】本発明に係るレンズ鏡胴のユニット状態の概略の斜視図である。
【図３】本発明に係るレンズ鏡胴に内包された変倍可能な折り曲げ撮像光学系を示す断面図である。
【図４】第２レンズ群及び第４レンズ群の移動機構及び内部の概略構造を示す模式図である。
【図５】第２主胴に、位置決め部材及び第３レンズ群を組み込む工程を示した図である。
【図６】位置決め部材に第３レンズ群を載置し、調芯後、固定された後の工程を示す図である。
【符号の説明】
【００７１】
１  第１レンズ群
２  第２レンズ群
３  第３レンズ群
３ｋ  位置決め部材
４  第４レンズ群
５  光学フィルタ
６  撮像素子
９  シャッタユニット
１０Ａ  第１主胴（第１の鏡胴部材）
１０Ｂ  第２主胴（第２の鏡胴部材）
１５  ガイド軸
１６  ガイド軸
２０  第１モータ
２１  第２モータ
５０  レンズ鏡胴
１００  カメラ
【図１】
2006133366.tif 000003
【図２】
2006133366.tif 000004
【図３】
2006133366.tif 000005
【図４】
2006133366.tif 000006
【図５】
2006133366.tif 000007
【図６】
2006133366.tif 000008